【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
情報処理装置に接続され、表示画面と、当該表示画面に対する指示手段により指示された指示を前記情報処理装置へ出力する座標情報出力装置とを備える画像表示装置において、
前記座標情報出力装置は、前記指示手段が前記表示画面上で継続的な接触状態となった後に前記表示画面の端部で非接触状態になったか否かを判別する第１の判別手段と、
前記表示画面の端部で前記指示手段が非接触状態になった後の経過時間を計測する時間計測手段と、
前記計測された経過時間が所定時間内であるか否かを判別する第２の判別手段と、
前記計測された経過時間が前記所定時間内であるときは、前記表示画面上での前記指示手段の接触状態が継続しているものとして前記指示手段が非接触状態となった前記表示画面の端部における指示を前記情報処理装置へ出力する出力手段と
を備えることを特徴とする画像表示装置。
【請求項２】
前記画像表示装置と同じ構成の他の画像表示装置と接続され、前記他の画像表示装置から送出される指示が入力される座標情報入力手段を備え、前記座標情報出力装置は、前記送出された指示を前記画像表示装置における指示と合成して前記情報処理装置へ出力することを特徴とする請求項１記載の画像表示装置。
【請求項３】
前記座標情報出力装置は、前記計測された時間が前記所定時間内であるときは、前記他の画像表示装置から指示が入力されたか否かを判別する第３の判別手段と、前記他の画像表示装置から指示が入力されたときは、前記表示画面上での前記指示手段の接触状態から前記他の画像表示装置の表示画面上での前記指示手段の接触状態に移行したと判断する判断手段とを備えることを特徴とする請求項２記載の画像表示装置。
【請求項４】
前記第１の判別手段は、前記表示画面の領域外に設けられていることを特徴とする請求項１乃至３のいずれか１項に記載の画像表示装置。
【請求項５】
請求項１乃至４のいずれか１項に記載の画像表示装置が複数並設されたことを特徴とするマルチディスプレイ・システム。
【請求項６】
情報処理装置に接続され、表示画面と、当該表示画面に対する指示手段により指示された指示を前記情報処理装置へ出力する座標情報出力装置とを備える画像表示装置の座標情報出力方法において、
前記指示手段が前記表示画面上で継続的な接触状態となった後に前記表示画面の端部で非接触状態になったか否かを判別する第１の判別ステップと、
前記表示画面の端部で前記指示手段が非接触状態になった後の経過時間を計測する時間計測ステップと、
前記計測された経過時間が所定時間内であるか否かを判別する第２の判別ステップと、
前記計測された経過時間が前記所定時間内であるときは、前記表示画面上での前記指示手段の接触状態が継続しているものとして前記指示手段が非接触状態となった前記表示画面の端部における指示を前記情報処理装置へ出力する出力ステップと
を備えることを特徴とする座標情報出力方法。
【請求項７】
前記画像表示装置と同じ構成の他の画像表示装置から送出される指示が入力される座標情報入力ステップを備え、前記送出された指示を前記画像表示装置における指示と合成して前記情報処理装置へ出力することを特徴とする請求項６記載の座標情報出力方法。
【請求項８】
前記計測された時間が前記所定時間内であるときは、前記他の画像表示装置から指示が入力されたか否かを判別する第３の判別ステップと、前記他の画像表示装置から座標が入力されたときは、前記表示画面上での前記指示手段の接触状態から前記他の画像表示装置の表示画面上での前記指示手段の接触状態に移行したと判断する判断ステップと
を備えることを特徴とする請求項７記載の座標情報出力方法。
【請求項９】
情報処理装置に接続され、表示画面と、当該表示画面に対する指示手段により指示された指示を前記情報処理装置へ出力する座標情報出力装置とを備える画像表示装置の座標情報出力方法を実現する制御プログラムであって、
前記指示手段が表示画面上で継続的な接触状態となった後に前記表示画面の端部で非接触状態になったか否かを判別する第１の判別ステップと、
前記表示画面の端部で前記指示手段が非接触状態になった後の経過時間を計測する時間計測ステップと、
前記計測された経過時間が所定時間内であるか否かを判別する第２の判別ステップと、
前記計測された経過時間が前記所定時間内であるときは、前記表示画面上での前記指示手段の接触状態が継続しているものとして前記指示手段が非接触状態となった前記表示画面の端部における指示を前記情報処理装置へ出力する出力ステップと
を備えることを特徴とする座標情報出力方法の制御プログラム。
【手続補正２】
【補正対象書類名】明細書
【補正対象項目名】００１４
【補正方法】変更
【補正の内容】
【００１４】
上記目的を達成するために、請求項１記載の画像表示装置は、情報処理装置に接続され、表示画面と、当該表示画面に対する指示手段により指示された指示を前記情報処理装置へ出力する座標情報出力装置とを備える画像表示装置において、前記座標情報出力装置は、前記指示手段が前記表示画面上で継続的な接触状態となった後に前記表示画面の端部で非接触状態になったか否かを判別する第１の判別手段と、前記表示画面の端部で前記指示手段が非接触状態になった後の経過時間を計測する時間計測手段と、前記計測された経過時間が所定時間内であるか否かを判別する第２の判別手段と、前記計測された経過時間が前記所定時間内であるときは、前記表示画面上での前記指示手段の接触状態が継続しているものとして前記指示手段が非接触状態となった前記表示画面の端部における指示を前記情報処理装置へ出力する出力手段とを備えることを特徴とする。
【手続補正３】
【補正対象書類名】明細書
【補正対象項目名】００１５
【補正方法】変更
【補正の内容】
【００１５】
請求項２記載の画像表示装置は、請求項１記載の画像表示装置において、前記画像表示装置と同じ構成の他の画像表示装置と接続され、前記他の画像表示装置から送出される指示が入力される座標情報入力手段を備え、前記座標情報出力装置は、前記送出された指示を前記画像表示装置における指示と合成して前記情報処理装置へ出力することを特徴とする。
【手続補正４】
【補正対象書類名】明細書
【補正対象項目名】００１９
【補正方法】変更
【補正の内容】
【００１９】
上記目的を達成するために、請求項６記載の座標情報出力方法は、情報処理装置に接続され、表示画面と、当該表示画面に対する指示手段により指示された指示を前記情報処理装置へ出力する座標情報出力装置とを備える画像表示装置の座標情報出力方法において、前記指示手段が前記表示画面上で継続的な接触状態となった後に前記表示画面の端部で非接触状態になったか否かを判別する第１の判別ステップと、前記表示画面の端部で前記指示手段が非接触状態になった後の経過時間を計測する時間計測ステップと、前記計測された経過時間が所定時間内であるか否かを判別する第２の判別ステップと、前記計測された経過時間が前記所定時間内であるときは、前記表示画面上での前記指示手段の接触状態が継続しているものとして前記指示手段が非接触状態となった前記表示画面の端部における指示を前記情報処理装置へ出力する出力ステップとを備えることを特徴とする。
【手続補正５】
【補正対象書類名】明細書
【補正対象項目名】００２０
【補正方法】変更
【補正の内容】
【００２０】
請求項７記載の座標情報出力方法は、請求項６記載の座標情報出力方法において、前記画像表示装置と同じ構成の他の画像表示装置から送出される指示が入力される座標情報入力ステップを備え、前記送出された指示を前記画像表示装置における指示と合成して前記情報処理装置へ出力することを特徴とする。
【手続補正６】
【補正対象書類名】明細書
【補正対象項目名】００２１
【補正方法】変更
【補正の内容】
【００２１】
請求項８記載の座標情報出力方法は、請求項７記載の座標情報出力方法において、前記計測された時間が前記所定時間内であるときは、前記他の画像表示装置から指示が入力されたか否かを判別する第３の判別ステップと、前記他の画像表示装置から座標が入力されたときは、前記表示画面上での前記指示手段の接触状態から前記他の画像表示装置の表示画面上での前記指示手段の接触状態に移行したと判断する判断ステップとを備えることを特徴とする。
【手続補正７】
【補正対象書類名】明細書
【補正対象項目名】００２２
【補正方法】変更
【補正の内容】
【００２２】
上記目的を達成するために、請求項９記載の座標情報出力方法の制御プログラムは、情報処理装置に接続され、表示画面と、当該表示画面に対する指示手段により指示された指示を前記情報処理装置へ出力する座標情報出力装置とを備える画像表示装置の座標情報出力方法を実現する制御プログラムであって、前記指示手段が表示画面上で継続的な接触状態となった後に前記表示画面の端部で非接触状態になったか否かを判別する第１の判別ステップと、前記表示画面の端部で前記指示手段が非接触状態になった後の経過時間を計測する時間計測ステップと、前記計測された経過時間が所定時間内であるか否かを判別する第２の判別ステップと、前記計測された経過時間が前記所定時間内であるときは、前記表示画面上での前記指示手段の接触状態が継続しているものとして前記指示手段が非接触状態となった前記表示画面の端部における指示を前記情報処理装置へ出力する出力ステップとを備えることを特徴とする。